(57)【要約】      （修正有）【課題】塗布部を容易に付替え可能な塗布容器及びその塗布部材の付替え方法を提供する。【解決手段】塗布容器は、塗布容器本体２０と付替えカバーとを有し、塗布容器本体２０は、容器３０と塗布具４０とを有し、容器３０は、口部３０ａを有し、塗布具４０は、先軸５１と塗布体５２とを備える塗布部材５０と、先軸５１と着脱可能に係合する基軸６０と、基軸６０に連なるとともに口部３０ａに着脱可能に取付けられるキャップ７０と、を有し、付替えカバーは、塗布体５２の全体を収容可能な収容部を有するとともに、収容部に塗布体５２の全体を収容した状態で塗布部材５０を基軸６０から取外すことが可能に構成されている。【選択図】図２
2020069188.tif 000002
【特許請求の範囲】
【請求項１】
塗布容器本体と、
付替えカバーと、を有し、
前記塗布容器本体は、容器と塗布具とを有し、
前記容器は、内容液を収容する収容空間に連なる筒状の口部を有し、
前記塗布具は、先軸と前記先軸に連なる塗布体とを備える塗布部材と、前記先軸と着脱可能に係合する基軸と、前記基軸に連なるとともに前記口部に着脱可能に取付けられるキャップと、を有し、
前記付替えカバーは、前記塗布体の全体を収容可能な収容部を有するとともに、前記収容部に前記塗布体の全体を収容した状態で前記塗布部材を前記基軸から取外すことが可能に構成されている、
塗布容器。
【請求項２】
前記塗布部材の前記先軸は、前記基軸の先端部の外周面と嵌合可能な内周面と当該内周面を貫通する係合開口部とを備える筒体を有し、
前記付替えカバーは、前記筒体の前記係合開口部に進入して前記基軸の先端部と前記筒体との嵌合を解除する方向に前記基軸の前記先端部を押圧することが可能な押圧部を有する、
請求項１に記載の塗布容器。
【請求項３】
前記付替えカバーは、前記収容部に前記塗布体の全体を収容した状態で前記収容部からの前記塗布体の脱出を阻止するように前記筒体の前記係合開口部と係合する係合部を有する、
請求項２に記載の塗布容器。
【請求項４】
前記付替えカバーは、先軸と当該先軸に連なる塗布体とを備えるとともに前記基軸に付替え可能な付替え用の塗布部材を有し、
前記収容部は、部分収容部と、前記部分収容部にヒンジ部を介して連なるとともに前記係合部を備える回動部と、を有し、
前記回動部は、前記係合部を前記収容部からの前記付替え用の塗布部材の前記塗布体の脱出を阻止するように前記筒体の前記係合開口部と係合した係合状態にする係合位置と、前記係合部を前記係合状態でない非係合状態にする非係合位置と、の間で前記ヒンジ部を中心として回動可能である、
請求項３に記載の塗布容器。
【請求項５】
前記付替えカバーは、前記部分収容部を構成する包囲壁本体と、前記包囲壁本体に前記ヒンジ部を介して連なる部分包囲壁と、前記部分包囲壁から突出するとともに前記係合部及び前記押圧部を備える突出壁と、を有し、
前記回動部は、前記部分包囲壁と前記突出壁とで構成され、
前記包囲壁本体及び前記部分包囲壁は、前記回動部が前記係合位置にあるときに、全体として、開放端と閉塞端との間で軸方向に延在する有底筒状をなす、
請求項４に記載の塗布容器。
【請求項６】
塗布容器における塗布部材の付替え方法であって、
前記塗布容器は、塗布容器本体と付替えカバーとを有し、
前記塗布容器本体は、容器と塗布具とを有し、
前記容器は、内容液を収容する収容空間に連なる筒状の口部を有し、
前記塗布具は、先軸と前記先軸に連なる塗布体とを備える塗布部材と、前記先軸と着脱可能に係合する基軸と、前記基軸に連なるとともに前記口部に着脱可能に取付けられるキャップと、を有し、
前記付替えカバーは、前記塗布体の全体を収容可能な収容部と、先軸と当該先軸に連なる塗布体とを備えるとともに前記基軸に付替え可能な付替え用の塗布部材と、を有し、
前記付替えカバーの前記収容部から前記付替え用の塗布部材を取出した後、前記塗布具の前記塗布体の全体を前記付替えカバーの前記収容部に収容し、前記塗布具の全体を前記付替えカバーの前記収容部に収容した状態のままで、前記塗布部材を前記基軸から取外して廃棄し、
その後、前記基軸に前記付替え用の塗布部材を取付ける、
塗布容器における塗布部材の付替え方法。
【請求項７】
前記塗布部材の前記先軸は、前記基軸の先端部の外周面と嵌合可能な内周面と当該内周面を貫通する係合開口部とを備える筒体を有し、
前記収容部は、部分収容部と、前記部分収容部にヒンジ部を介して連なる回動部と、を有し、
前記回動部は、前記筒体の前記係合開口部に進入して前記基軸の先端部と前記筒体との嵌合を解除する方向に前記基軸の前記先端部を押圧することが可能な押圧部を有し、
前記塗布具の前記塗布体の全体を前記付替えカバーの前記部分収容部に収容し、前記回動部を前記ヒンジ部を中心として回動させることにより、前記押圧部を前記筒体の前記係合開口部に進入させて前記押圧部で前記基軸の前記先端部を押圧し、前記基軸の先端部と前記筒体との嵌合を解除させた後、前記塗布具の前記塗布体の全体を前記付替えカバーの前記収容部に収容した状態のままで、前記塗布部材を前記基軸から取外して廃棄する、
請求項６に記載の塗布容器における塗布部材の付替え方法。
【発明の詳細な説明】
【技術分野】
【０００１】
本発明は、塗布部を付替え可能な塗布容器及びその塗布部材の付替え方法に関する。
【背景技術】
【０００２】
マスカラ、マニキュア、染毛剤などの化粧料に代表される内容液を収容する容器と、容器の口部に着脱可能に取付けられるとともに内容液の塗布体を備える塗布具と、を有する塗布容器が知られている（例えば、特許文献１参照）。
【先行技術文献】
【特許文献】
【０００３】
【特許文献１】特開２０１１−９２４０４号公報
【発明の概要】
【発明が解決しようとする課題】
【０００４】
このような塗布容器は、内容液の乾燥等によって塗布体が固まったりすると、本来の塗布機能を発揮できない。塗布体の洗浄には、洗うための場所と、洗浄液などが必要で、乾燥させたりする手間がかかる。洗浄後に塗布体の使用感が不十分となる場合もある。このため、塗布体を含む塗布部を未使用のものと容易に付替えできれば都合がよい。
【０００５】
本発明の目的は、塗布部を容易に付替え可能な塗布容器及びその塗布部材の付替え方法を提供することにある。
【課題を解決するための手段】
【０００６】
本発明の一態様に係る塗布容器は、
塗布容器本体と、
付替えカバーと、を有し、
前記塗布容器本体は、容器と塗布具とを有し、
前記容器は、内容液を収容する収容空間に連なる筒状の口部を有し、
前記塗布具は、先軸と前記先軸に連なる塗布体とを備える塗布部材と、前記先軸と着脱可能に係合する基軸と、前記基軸に連なるとともに前記口部に着脱可能に取付けられるキャップと、を有し、
前記付替えカバーは、前記塗布体の全体を収容可能な収容部を有するとともに、前記収容部に前記塗布体の全体を収容した状態で前記塗布部材を前記基軸から取外すことが可能に構成されている。
【０００７】
本発明に係る塗布容器は、
前記塗布部材の前記先軸が、前記基軸の先端部の外周面と嵌合可能な内周面と当該内周面を貫通する係合開口部とを備える筒体を有してもよく、
前記付替えカバーは、前記筒体の前記係合開口部に進入して前記基軸の先端部と前記筒体との嵌合を解除する方向に前記基軸の前記先端部を押圧することが可能な押圧部を有してもよい。
【０００８】
本発明に係る塗布容器は、前記付替えカバーが、前記収容部に前記塗布体の全体を収容した状態で前記収容部からの前記塗布体の脱出を阻止するように前記筒体の前記係合開口部と係合する係合部を有してもよい。
【０００９】
本発明に係る塗布容器は、
前記付替えカバーが、先軸と当該先軸に連なる塗布体とを備えるとともに前記基軸に付替え可能な付替え用の塗布部材を有してもよく、
前記収容部が、部分収容部と、前記部分収容部にヒンジ部を介して連なるとともに前記係合部を備える回動部と、を有してもよく、
前記回動部が、前記係合部を前記収容部からの前記付替え用の塗布部材の前記塗布体の脱出を阻止するように前記筒体の前記係合開口部と係合した係合状態にする係合位置と、前記係合部を前記係合状態でない非係合状態にする非係合位置と、の間で前記ヒンジ部を中心として回動可能であってもよい。
【００１０】
本発明に係る塗布容器は、
前記付替えカバーが、前記部分収容部を構成する包囲壁本体と、前記包囲壁本体に前記ヒンジ部を介して連なる部分包囲壁と、前記部分包囲壁から突出するとともに前記係合部及び前記押圧部を備える突出壁と、を有してもよく、
前記回動部が、前記部分包囲壁と前記突出壁とで構成されてもよく、
前記包囲壁本体及び前記部分包囲壁が、前記回動部が前記係合位置にあるときに、全体として、開放端と閉塞端との間で軸方向に延在する有底筒状をなしてもよい。
【００１１】
本発明の一態様に係る塗布容器における塗布部材の付替え方法は、
前記塗布容器は、塗布容器本体と付替えカバーとを有し、
前記塗布容器本体は、容器と塗布具とを有し、
前記容器は、内容液を収容する収容空間に連なる筒状の口部を有し、
前記塗布具は、先軸と前記先軸に連なる塗布体とを備える塗布部材と、前記先軸と着脱可能に係合する基軸と、前記基軸に連なるとともに前記口部に着脱可能に取付けられるキャップと、を有し、
前記付替えカバーは、前記塗布体の全体を収容可能な収容部と、先軸と当該先軸に連なる塗布体とを備えるとともに前記基軸に付替え可能な付替え用の塗布部材と、を有し、
前記付替えカバーの前記収容部から前記付替え用の塗布部材を取出した後、前記塗布具の前記塗布体の全体を前記付替えカバーの前記収容部に収容し、前記塗布具の全体を前記付替えカバーの前記収容部に収容した状態のままで、前記塗布部材を前記基軸から取外して廃棄し、
その後、前記基軸に前記付替え用の塗布部材を取付けるようにした方法である。
【００１２】
本発明に係る塗布容器における塗布部材の付替え方法は、
前記塗布部材の前記先軸が、前記基軸の先端部の外周面と嵌合可能な内周面と当該内周面を貫通する係合開口部とを備える筒体を有してもよく、
前記収容部が、部分収容部と、前記部分収容部にヒンジ部を介して連なる回動部と、を有してもよく、
前記回動部が、前記筒体の前記係合開口部に進入して前記基軸の先端部と前記筒体との嵌合を解除する方向に前記基軸の前記先端部を押圧することが可能な押圧部を有してもよく、
前記塗布具の前記塗布体の全体を前記付替えカバーの前記部分収容部に収容し、前記回動部を前記ヒンジ部を中心として回動させることにより、前記押圧部を前記筒体の前記係合開口部に進入させて前記押圧部で前記基軸の前記先端部を押圧し、前記基軸の先端部と前記筒体との嵌合を解除させた後、前記塗布具の前記塗布体の全体を前記付替えカバーの前記収容部に収容した状態のままで、前記塗布部材を前記基軸から取外して廃棄するようにしてもよい。
【発明の効果】
【００１３】
本発明によれば、塗布部を容易に付替え可能な塗布容器及びその塗布部材の付替え方法を提供することができる。
【図面の簡単な説明】
【００１４】
【図１】本発明の一実施形態に係る塗布容器の外観図である。
【図２】図１に示す塗布容器本体の縦断面図である。
【図３】図２に示す容器から取外した塗布具を示す縦断面図である。
【図４】図１に示す付替えカバー本体から塗布部材を取出すときの様子を示す縦断面図である。
【図５】図４に示す状態の付替えカバー本体の上面図である。
【図６】図４に示す状態の付替えカバー本体に図３に示す塗布部材を収容したときの様子を示す縦断面図である。
【図７】図６に示す状態から回動部を係合位置に回動させたときの様子を示す縦断面図である。
【図８】図７に示す状態から基軸の先端部を離脱させたときの、塗布部材を収容した付替えカバー本体を示す縦断面図である。
【図９】図８のＡ−Ａ線に沿う横断面図である。
【図１０】図７に示す状態から基軸の先端部を離脱させ、図４に示す塗布部材を取付けるときの様子を示す縦断面図である。
【図１１】本発明の一実施形態に係る塗布容器における塗布部材の付替え方法を示すフローチャートである。
【発明を実施するための形態】
【００１５】
以下、図面を参照して、本発明の実施形態に係る塗布容器及びその塗布部材の付替え方法について詳細に例示説明する。
【００１６】
まず、本発明の実施形態に係る塗布容器について詳細に例示説明する。図１に示すように、本実施形態に係る塗布容器１は、塗布容器本体２０と３つの付替えカバー２とを有している。塗布容器本体２０は、容器３０と塗布具４０とを有している。図２に示すように、容器３０は容器本体３１と扱き中栓３２とを有している。塗布具４０は、塗布部材５０と基軸６０とキャップ７０とを有している。図１に示すように、３つの付替えカバー２は、それぞれ、付替えカバー本体８０と、付替えカバー本体８０に収容された付替え用の塗布部材５０と、を有している。塗布容器１は、塗布容器本体２０と３つの付替えカバー２とを個別に収容する包装体３によって包装されている。なお、付替えカバー２の数は３つに限らず、適宜増減が可能である。また、包装体３の形態は、図１に示すようなものに限られない。例えば、塗布容器本体２０と付替えカバー２とは、別々の包装体で包装されてもよい。また、包装体３を設けない構成であってもよい。塗布容器本体２０と付替えカバー２とが別々に流通、販売等されてもよい。また、付替えカバー２と付替え用の塗布部材５０とが別々に流通、販売等されてもよい。
【００１７】
図２に示すように、容器本体３１は、中心軸線Ｏ１を中心とする円筒状の本体口部３１ａと、本体口部３１ａの下端部に本体口部３１ａから拡径する段部３１ｂを介して一体に連なるとともに下方に向けて徐々に縮径する有底円筒状の胴部３１ｃと、を有している。扱き中栓３２は、本体口部３１ａの上端面に当接するとともに中心軸線Ｏ１を中心とする円環状をなすフランジ３２ａと、フランジ３２ａの内周縁部から垂下する円筒状の内筒３２ｂと、を備えている。内筒３２ｂの内周面には、中心軸線Ｏ１を中心とする円環状の内向きフランジ状をなす扱き壁３２ｃの外周縁部が一体に連なっている。また、内筒３２ｂの外周面における下部には、径方向外側に突出するとともに本体口部３１ａの下端部に係止する係止凸部３２ｄが設けられている。本実施形態では、本体口部３１ａと扱き中栓３２とで、容器３０の筒状の口部３０ａが構成されている。また、容器３０の内側には、口部３０ａに連なるとともに内容液（不図示）を収容する収容空間Ｓが区画されている。
【００１８】
なお、本実施形態において、塗布容器本体２０について上方とは、塗布具４０が容器３０に取付けられた状態で、口部３０ａの軸方向（中心軸線Ｏ１に沿う方向）に沿って胴部３１ｃから口部３０ａに向かう方向（図１における上方）を意味し、下方とはその反対方向を意味する。また、中心軸線Ｏ１を含む断面を縦断面といい、中心軸線Ｏ１と垂直な断面を横断面という。
【００１９】
内容液は、マスカラ、マニキュア、染毛剤などの化粧料である。しかし、内容液は、化粧料に限られない。
【００２０】
本体口部３１ａの外周面には、塗布具４０を口部３０ａに着脱可能に取付けるためにキャップ７０と螺合可能な螺合部３０ｂが設けられている。螺合部３０ｂは雄ねじ状をなしているが、キャップ７０と螺合可能であれば突起状をなしていてもよい。しかし、本体口部３１ａの外周面には、塗布具４０を口部３０ａに着脱可能に取付けるために螺合以外によってキャップ７０と係合可能な係合部を設けてもよい。
【００２１】
キャップ７０は、上方に向けて徐々に縮径する有頂円筒状をなしており、その内周面における下部に、塗布具４０を口部３０ａに取付けるために口部３０ａの螺合部３０ｂと螺合可能な被螺合部７１を有している。被螺合部７１は雌ねじ状をなしているが、螺合部３０ｂと螺合可能であれば突起状をなしていてもよい。
【００２２】
基軸６０は、中心軸線Ｏ１を中心とする有底円筒状の取付け筒６１と、取付け筒６１の底部から垂下するとともに取付け筒６１と同心の円柱状をなすロッド６２と、を有している。取付け筒６１の外周面は、キャップ７０の内周面における被螺合部７１より上方の部分に嵌合している。この嵌合により、基軸６０は、キャップ７０に保持されている。ロッド６２の外周面には、円環フランジ状の環状凸部６３が一体に連なっている。環状凸部６３は、塗布具４０を口部３０ａに取付けた状態で扱き壁３２ｃの上面に接するとともに内筒３２ｂの内周面に接するように設けられている。
【００２３】
ロッド６２の先端部には、基軸６０の先端部である基軸先端部６４が一体に連なっている。基軸先端部６４は、ロッド６２より縮径するとともにロッド６２と同心の円柱状をなしている。
【００２４】
塗布部材５０は、先軸５１と先軸５１に連なる塗布体５２とを有している。先軸５１は、基軸先端部６４の外周面と嵌合可能な内周面と当該内周面を貫通する係合開口部５３とを備える、中心軸線Ｏ１を中心とする円筒状の筒体５１ａを有している。係合開口部５３は、筒体５１ａの軸心（中心軸線Ｏ１）を挟んで互いに対向する２つの開口５３ａで構成されている。筒体５１ａの内周面と基軸先端部６４の外周面とが嵌合することにより、筒体５１ａと基軸先端部６４とを軸方向に離間させる方向に外力が作用した場合でも、この外力の強さが所定の大きさに達するまでは、筒体５１ａと基軸先端部６４との結合状態が維持される。図６に示すように、筒体５１ａの内周面と基軸先端部６４の外周面とには、これらの嵌合に伴って互いに係合可能な円環状の係合凸部５４、６５が設けられている。係合凸部５４、６５同士の係合により、嵌合の完了時にクリック感を生じさせるとともに嵌合状態を良好に保持することができる。なお、係合凸部５４、６５は、本実施形態では２つずつ設けられているが、その数は適宜増減が可能である。また、係合凸部５４、６５を設けない構成としてもよい。
【００２５】
筒体５１ａは、先軸５１の基端部を構成している。筒体５１ａの上端面は、筒体５１ａの内周面と基軸先端部６４の外周面との嵌合に伴って、ロッド６２の下端面（すなわち、ロッド６２の下端部と基軸先端部６４の基端部との間に形成された円環状の段差面）に軸方向に当接することが可能である。筒体５１ａの外径は、ロッド６２の下端部の外径と同等に設定されている。先軸５１における筒体５１ａより下方の部分である先軸本体５１ｂは、先端部（下端部）が下方に向けて徐々に縮径する円柱状をなしている。
【００２６】
先軸本体５１ｂの外周面には、内容液を塗布する塗布体５２が連なっている。塗布体５２は、本実施形態ではブラシで構成されている。しかし、塗布体５２は、ブラシで構成されるものに限らず、例えば、スポンジ等の含浸体やハケなどで構成されてもよい。塗布体５２の配置も適宜変更が可能であり、例えば、先軸本体５１ｂの下端部のみに筆状等の塗布体５２を設けてもよい。
【００２７】
図４、図５に示すように、付替えカバー本体８０は、塗布体５２の全体を収容可能な収容室Ｒを内部に区画する収容部８９を有している。収容部８９は、部分収容部８１と、部分収容部８１にヒンジ部８２を介して連なる回動部８４と、を有している。本実施形態では、付替えカバー本体８０は、基軸６０に付替え可能な付替え用の塗布部材５０を収容している。この付替え用の塗布部材５０は、本実施形態では、基軸６０に取付けられている塗布部材５０と同一の構成になっている。しかし、基軸６０に付替え可能な構成であれば、例えば塗布体５２の形状、材質等が異なるものであってもよい。
【００２８】
回動部８４は、係合部８３を収容室Ｒからの塗布部材５０の脱出を阻止するように付替え用の塗布部材５０と係合した係合状態（以下、収容係合状態ともいう）にする係合位置と、図４に示すような、係合部８３を係合状態でない非係合状態にする非係合位置と、の間でヒンジ部８２を中心として回動可能である。
【００２９】
係合部８３は、塗布部材５０の先軸５１と係合することで収容係合状態になるように構成されている。なお、係合部８３は、このような構成に限らず、例えば、塗布部材５０の塗布体５２と係合することで収容係合状態になるように構成されてもよい。
【００３０】
より具体的に、係合部８３は、筒体５１ａの係合開口部５３と係合することで収容係合状態になるように構成されている。なお、係合部８３は、このような構成に限らず、例えば、筒体５１ａの外周面に係合用の凸部を設けるとともに、係合部８３をこの凸部との係合により収容係合状態になるように構成してもよい。
【００３１】
図４、図５に示すように、付替えカバー本体８０は、部分収容部８１を構成する包囲壁本体８５と、包囲壁本体８５にヒンジ部８２を介して連なる部分包囲壁８６と、部分包囲壁８６から突出するとともに係合部８３を備える突出壁８７と、を有している。回動部８４は、部分包囲壁８６と突出壁８７とで構成されている。包囲壁本体８５及び部分包囲壁８６は、図７に示すように、回動部８４が係合位置にあるときに、全体として、開放端８０ａと閉塞端８０ｂとの間で中心軸線Ｏ２に沿う軸方向に延在する有底筒状をなすように構成されている。係合部８３は、回動部８４が係合位置にあるときの突出壁８７の下端部で構成されている。
【００３２】
なお、本実施形態において、付替えカバー２について上方とは、中心軸線Ｏ２に沿って閉塞端８０ｂから開放端８０ａに向かう方向（図７における上方）を意味し、下方とはその反対方向を意味する。また、中心軸線Ｏ２を含む断面を縦断面といい、中心軸線Ｏ２と垂直な断面を横断面という。
【００３３】
部分包囲壁８６は、回動部８４が係合位置にあるときに、開放端８０ａから閉塞端８０ｂに向けて軸方向に所定の周方向幅で延在する帯状をなしている。ヒンジ部８２は、部分包囲壁８６における閉塞端８０ｂの側の端部（下端部）に設けられている。
【００３４】
図７に示すように、回動部８４は、非係合位置から係合位置への回動部８４の回動により、筒体５１ａの係合開口部５３に進入して基軸先端部６４と筒体５１ａとの嵌合を解除する方向に基軸先端部６４を押圧することが可能な押圧部８８を有している。押圧部８８は、突出壁８７で構成されている。
【００３５】
押圧部８８は、回動部８４が係合位置にあるときに、突出壁８７の突出方向に向けて下方に傾斜する傾斜面で構成されている。したがって、押圧部８８は、非係合位置から係合位置への回動部８４の回動により、基軸先端部６４を筒体５１ａに対して相対的に上方に押圧して、基軸先端部６４を、基軸先端部６４と筒体５１ａとの嵌合を解除する方向に移動（すなわち、筒体５１ａに対して相対的に上昇）させることができる。
【００３６】
押圧部８８は、非係合位置から係合位置への回動部８４の回動により、基軸先端部６４を上方に押圧して、係合凸部５４、６５同士の係合（すなわち、上側の係合凸部５４、６５同士の係合と下側の係合凸部５４、６５同士の係合）が解除されるように基軸先端部６４を上昇させることができる。本実施形態では、押圧部８８は、下側の係合凸部６５が上側の係合凸部５４を超えるまで基軸先端部６４を上昇させるように構成されているが、その上昇のストロークは増減が可能である。
【００３７】
突出壁８７は、非係合位置から係合位置への回動部８４の回動により、突出壁８７の係合部８３及び押圧部８８が係合開口部５３を構成する２つの開口５３ａの両方に進入するとともに、突出壁８７の先端部が包囲壁本体８５の内面に設けられた開放端８０ａから閉塞端８０ｂに向けて軸方向に延在する溝８５ａに挿入されるように構成されている。
【００３８】
容器本体３１は、合成樹脂のブロー成形によって形成されている。扱き中栓３２、キャップ７０、基軸６０、先軸５１及び付替えカバー本体８０は、合成樹脂の射出成形によって形成されている。しかし、これらの材料及び製法は適宜変更が可能である。
【００３９】
本実施形態に係る塗布容器１は、塗布体５２が内容物の乾燥により固化した場合など、その付替えが必要となったときに、塗布具４０全体ではなく、塗布部材５０のみを付替えることにより、塗布体５２の付替えを可能にすることができる。塗布部材５０の付替えは、例えば次の要領で行うことができる。
【００４０】
まず、使用者は、図４に示すように、付替え用の塗布部材５０を収容した付替えカバー本体８０の回動部８４を係合位置から非係合位置まで回動させて、当該付替えカバー本体８０の収容室Ｒから塗布部材５０を取出すことができる。そして、使用者は、キャップ７０を把持して塗布具４０を容器３０から取外し、キャップ７０を把持したままで、この取外した塗布具４０（図３参照）の塗布部材５０を、図６に示すように、空になった付替えカバー本体８０の部分収容部８１に収容することができる。
【００４１】
次いで、使用者は、図７に示すように、回動部８４を非係合位置から係合位置まで回動させることにより、係合部８３を塗布部材５０の係合開口部５３の下端部に係合させて、収容室Ｒからの塗布部材５０の脱出を阻止できる状態にすることができる。また、このとき、回動部８４の回動に伴って押圧部８８が基軸先端部６４を、基軸先端部６４と筒体５１ａとの嵌合が解除される方向である、基軸先端部６４と筒体５１ａとの離間方向に押圧するので、筒体５１ａからの基軸先端部６４の取外しが容易な状態にすることができる。したがって、使用者は、この状態から、キャップ７０を把持したままで塗布具４０を付替えカバー本体８０から軸方向に離間させることで、筒体５１ａから基軸先端部６４を容易に抜き出し、塗布部材５０を塗布具４０から取外すことができる。このように、付替えカバー本体８０を塗布部材５０の取外し用の器具として用いることで、塗布部材５０を簡単に取外すことができる。
【００４２】
また、このとき、付替えカバー本体８０は、図８、図９に示すように、塗布体５２の全体を収容部８９に収容することができるので、周囲を汚すことなく、塗布部材５０を付替えカバー本体８０ごと廃棄することができる。
【００４３】
上記のように塗布部材５０を取外した後、使用者は、キャップ７０を把持したままで、図１０に示すように、取出しておいた付替え用の塗布部材５０を基軸先端部６４に嵌合させ、塗布部材５０の付替えを完了させることができる。このように、使用者は、付替えカバー本体８０を用いた簡単な操作により、手や周囲を内容液で汚すことなく塗布部材５０の付替えを行うことができる。
【００４４】
次に、本発明の実施形態に係る塗布容器における塗布部材の付替え方法について、詳細に例示説明する。なお、以下においては、前述した塗布容器１を用いた場合を例にして説明するが、本実施形態に係る塗布容器における塗布部材の付替え方法は、塗布容器１について前述した種々の変形例などを用いる場合にも適用が可能である。
【００４５】
本実施形態に係る塗布容器における塗布部材の付替え方法は、図１１に示すように、取出しを行うステップＳ１と、収容するステップＳ２と、廃棄するステップＳ３と、取付けを行うステップＳ４と、を有している。
【００４６】
取出しステップＳ１は、付替えカバー２の収容部８９から付替え用の塗布部材５０を取出すステップである。取出しステップＳ１が終了すると、収容ステップＳ２が行われる。収容ステップＳ２は、容器３０の口部３０ａからキャップ７０を把持して塗布具４０を取外し、塗布具４０の塗布体５２の全体を付替えカバー２の収容部８９に収容するステップである。
【００４７】
本実施形態では、収容ステップＳ２は、塗布具４０の塗布体５２の全体を付替えカバー２の部分収容部８１に収容し、回動部８４をヒンジ部８２を中心として回動させることにより、押圧部８８を筒体５１ａの係合開口部５３に進入させて押圧部８８で基軸先端部６４を押圧し、基軸先端部６４と筒体５１ａとの嵌合を解除させるステップを含んでいる。
【００４８】
収容ステップＳ２が終了すると、廃棄ステップＳ３が行われる。廃棄ステップＳ３は、塗布具４０の塗布体５２の全体を付替えカバー２の収容部８９に収容した状態のままで、塗布部材５０を基軸６０から取外して廃棄するステップである。廃棄ステップＳ３が終了すると、取付けステップＳ４が行われる。取付けステップＳ４は、基軸６０に付替え用の塗布部材５０を取付けるステップである。
【００４９】
前述した本実施形態は、本発明の実施形態の一例にすぎず、発明の要旨を逸脱しない範囲で種々変更可能であることはいうまでもない。
【符号の説明】
【００５０】
１  塗布容器
２  付替えカバー
２０  塗布容器本体
３０  容器
３０ａ  口部
３０ｂ  螺合部
３１  容器本体
３１ａ  本体口部
３１ｂ  段部
３１ｃ  胴部
３２  扱き中栓
３２ａ  フランジ
３２ｂ  内筒
３２ｃ  扱き壁
３２ｄ  係止凸部
４０  塗布具
５０  塗布部材
５１  先軸
５１ａ  筒体
５１ｂ  先軸本体
５２  塗布体
５３  係合開口部
５３ａ  開口
５４  係合凸部
６０  基軸
６１  取付け筒
６２  ロッド
６３  環状凸部
６４  基軸先端部
６５  係合凸部
７０  キャップ
７１  被螺合部
８０  付替えカバー本体
８０ａ  開放端
８０ｂ  閉塞端
８１  部分収容部
８２  ヒンジ部
８３  係合部
８４  回動部
８５  包囲壁本体
８５ａ  溝
８６  部分包囲壁
８７  突出壁
８８  押圧部
８９  収容部
Ｏ１、Ｏ２  中心軸線
Ｓ  収容空間
Ｒ  収容室
【図１】
2020069188.tif 000003
【図２】
2020069188.tif 000004
【図３】
2020069188.tif 000005
【図４】
2020069188.tif 000006
【図５】
2020069188.tif 000007
【図６】
2020069188.tif 000008
【図７】
2020069188.tif 000009
【図８】
2020069188.tif 000010
【図９】
2020069188.tif 000011
【図１０】
2020069188.tif 000012
【図１１】
2020069188.tif 000013